(57)【要約】【課題】勾配のある設置面に、デッキを安定良くしっかりと設置することができ、しかも、設置面の勾配を勾配の形態にかかわらず施工容易に吸収することができる、デッキの下地構造を提供する。【解決手段】デッキ材を載せる例えば４本の根太２…が所定の間隔おきに並列状態に設置され、これら根太３…の長さ方向の一方の側ともう一方の側とに通し材６，６がわたされ、各通し材６，６が各根太２…に接合されて方形の根太フレーム７が形成され、各根太２にナットが長さ方向に間隔的に複数設けられ、各ナットに螺合したレベル調整用の脚が設置面１に当接されている。各根太２は角形管材からなり、ナットがその下壁に設けられると共に、該ナットの直上位置において管材の上壁に脚操作用開口部５…が備えられているとよい。【選択図】      図１
2006283420.tif 000002
【特許請求の範囲】
【請求項１】
デッキ材を載せる３本以上の根太が所定の間隔おきに並列状態に設置され、これら根太の長さ方向の一方の側ともう一方の側とに、根太と交差して延びる通し材がわたされ、各通し材が各根太に接合されて、方形の根太フレームが形成されており、
各根太に、レベル調整用のネジ孔が長さ方向に間隔的に複数設けられ、各ネジ孔に螺合したレベル調整用の脚が設置面に当接されていることを特徴とするデッキの下地構造。
【請求項２】
前記各根太が管状材からなり、脚螺合用の前記ネジ孔が該管状材の下壁に設けられると共に、該ネジ孔の直上位置において管状材の上壁に脚操作用開口部が備えられている請求項１に記載のデッキの下地構造。
【請求項３】
デッキ材を載せる２本以上の根太が所定の間隔おきに並列状態に設置され、これら根太の長さ方向の一方の側ともう一方の側とに、根太と交差して延びる通し材がわたされ、各通し材が各根太に接合されて、方形の根太フレームが形成されており、
各根太に、レベル調整用のネジ孔が長さ方向に間隔的に複数設けられ、各ネジ孔に螺合したレベル調整用の脚が設置面に当接されていることを特徴とするデッキの下地構造。
【発明の詳細な説明】
【技術分野】
【０００１】
本発明は、デッキの下地構造に関する。
【背景技術】
【０００２】
勾配のある設置面に、デッキを施工する場合に、デッキを安定良くしっかりと設置するために、その勾配をいかに施工容易に吸収できるかが問題である。特に、図８に示すような、単純な片流れの勾配ではない設置面１に対する勾配吸収のための施工は、多くの手間と時間を要する。
【発明の開示】
【発明が解決しようとする課題】
【０００３】
本発明は、かかる問題に鑑み、勾配のある設置面に、デッキを安定良くしっかりと設置することができ、しかも、設置面の勾配を勾配の形態にかかわらず施工容易に吸収することができる、デッキの下地構造を提供することを課題とする。
【課題を解決するための手段】
【０００４】
上記の課題は、デッキ材を載せる３本以上の根太が所定の間隔おきに並列状態に設置され、これら根太の長さ方向の一方の側ともう一方の側とに、根太と交差して延びる通し材がわたされ、各通し材が各根太に接合されて、方形の根太フレームが形成されており、
各根太に、レベル調整用のネジ孔が長さ方向に間隔的に複数設けられ、各ネジ孔に螺合したレベル調整用の脚が設置面に当接されていることを特徴とするデッキの下地構造によって解決される。
【０００５】
この構造では、各根太が、対の通し材との組み合わせで、方形の根太フレームのなかに含められているので、該根太フレームの平面方向の最低３カ所、普通は、四隅の４カ所において、レベル調整用の脚でレベル調整をしさえすれば、すべての根太を、設置面の勾配を吸収して、水平、あるいは、所望の傾斜状態にすることができる。そして、残りのレベル調整用の脚を、その先端が設置面に当接するように下方に進出させていけば、すべての根太はそれぞれに備えられた脚によって安定良くしっかりと支えられ、デッキの設置を安定の良いしっかりとしたものにすることができ、しかも、設置面の勾配を勾配の形態にかかわらず施工容易に吸収することができる。
【０００６】
上記の構造において、各根太が管状材からなり、脚螺合用の前記ネジ孔が該管状材の下壁に設けられると共に、該ネジ孔の直上位置において管状材の上壁に脚操作用開口部が備えられているとよい。
【０００７】
この場合は、各レベル調整脚に対する操作を、脚操作孔を通じて下向き作業で行っていくことができ、施工を能率良く行っていくことができる。しかも、ネジ孔は管状材の下壁に設けられているので、レベル調整範囲が大きい場合であっても、レベル調整脚が根太の上面から上方に突出してしまうのを防ぐことができる。
また、本発明は、デッキ材を載せる２本以上の根太が所定の間隔おきに並列状態に設置され、これら根太の長さ方向の一方の側ともう一方の側とに、根太と交差して延びる通し材がわたされ、各通し材が各根太に接合されて、方形の根太フレームが形成されており、
各根太に、レベル調整用のネジ孔が長さ方向に間隔的に複数設けられ、各ネジ孔に螺合したレベル調整用の脚が設置面に当接されていることを特徴とするデッキの下地構造も含む。
即ち、根太が２本の場合であっても、通し材との関係で方形を形成し、少なくとも３カ所のレベル調整をすれば、すべての根太を、設置面の勾配を吸収して、水平、あるいは、所望の傾斜状態にすることができる場合もある。そして、残りのレベル調整用の脚を、その先端が設置面に当接するように下方に進出させていけば、すべての根太はそれぞれに備えられた脚によって安定良くしっかりと支えられ、デッキの設置を安定の良いしっかりとしたものにすることができ、しかも、設置面の勾配を勾配の形態にかかわらず施工容易に吸収することができる。
【発明の効果】
【０００８】
本発明デッキの下地構造は、以上のとおりのものであるから、デッキを安定良くしっかりと設置することができ、しかも、設置面の勾配を勾配の形態にかかわらず施工容易に吸収することができる。
【発明を実施するための最良の形態】
【０００９】
次に、本発明の実施最良形態を図面に基づいて説明する。
【００１０】
図１〜図７に示す実施形態の構造のデッキの下地構造は、根太２が４本備えられており、例えば、図８に示すような水勾配の形成されたバルコニーの床面１を設置面とし、図１（イ）に示すように、これら４本の根太２…が設置面１上に所定の間隔おきに並列状態に設置される。各根太２…は、図２（イ）に示すように、アルミ等の金属製の角形管材からなっており、各根太２にはそれぞれ、図４〜図７に示すように、４つのレベル調整脚３…が下方に突出するように、長さ方向に所定の間隔をおいて分散状態に備えられている。
【００１１】
具体的には、図３に示すように、根太２の下壁に脚螺合用ネジ孔を形成するナット４が溶接などで取り付けられ、レベル調整用脚３は、該ナット４に螺合されており、ナット４の直上位置において、根太２の上壁には脚操作用開口部としての孔５が設けられ、該操作孔５を通じて上から脚３の頭部に工具を係合し、脚３を回転させることで上下方向に進退するようになされていて、該操作によって、各脚３…の先端部を設置面１上に当接状態にすることができるようになされている。
【００１２】
そして、図１（ロ）及び図２に示すように、これら４本の根太２…の一方の端部ともう一方の端部には、同じくアルミ等の金属製のＬ形をした通し材６，６が、根太２と直交する方向に向けられて根太２…の上面側にわたされ、ビス８…で各根太２…に接合されて方形の根太フレーム７を形成しており、該根太フレーム７の各根太２…の上に、図５（ニ）及び図７（ニ）に示すように、デッキ材９が設置されてデッキを構成するようになされている。
【００１３】
施工は、図１（イ）に示すように、設置面１に、根太２…を所定の間隔おきに並列状態に設置したのち、図１（ロ）に示すように、これら４本の根太２…の一方の端部ともう一方の端部に、通し材６，６をわたし、該通し材６，６をそれぞれ、ビス８…で各根太２…に接合して方形の根太フレーム７を形成する。
【００１４】
しかる後、図４（イ）（ロ）及び図６（イ）（ロ）に示すように、根太フレーム７の隅の３つ又は４つのレベル調整用脚３…を操作して、根太フレーム７を設置面１上に水平にする。これにより、４本の根太２はすべて水平状態になる。その後、図５（ハ）及び図７（ハ）に示すように、残りすべてのレベル調整用脚３…を操作して下方に進出させ、設置面１に当接させた状態にすれば、すべての根太２…は、それぞれに備えられた脚３…によって設置面１上に安定良くしっかりと支えられ、あとは、図５（ニ）及び図７（ニ）に示すように、デッキ材９…を根太２…の上に設置していけば、安定の良いしっかりとしたデッキが形成される。
【００１５】
このように、上記のデッキ下地構造によれば、根太２が４本備えられていても、通し材６，６で形成された根太フレーム７の四隅のレベル調整用脚３…でレベル調整をすれば、すべての根太２を水平にすることができ、残りのレベル調整用の脚３…は、その先端が設置面１に当接するように下方に進出させていくだけでよく、設置面１の勾配を勾配の形態にかかわらず施工容易に吸収することができる。
【００１６】
また、本実施形態では、各根太２…が角形管材からなり、ナット４が角形管材２の下壁に設けられ、ナット４の直上位置において角形管材２の上壁に脚操作孔５が設けられているので、数あるレベル調整脚３…に対する操作を、脚操作孔５を通じて下向き作業で能率良く行っていくことができ、施工を短時間で済ませることができる。しかも、レベル調整範囲が大きい場合であっても、ナット４が角形管材２の下壁に設けられていることにより、レベル調整脚３が根太２の上面から上方に突出してしまうこともない。
【００１７】
以上に、本発明の実施形態を示したが、本発明はこれに限られるものではなく、発明思想を逸脱しない範囲で各種の変更が可能である。例えば、上記の実施形態では、根太として角形管材２を用い、その上壁に脚操作孔５が形成されている場合を示したが、本発明では、根太を構成する管状材としてリップ付き溝形材を使用し、リップ間の開口部を上方に開口する操作用開口部としてもよいし、角形管材として、溝形材を使用し、溝開口部を上方に開口する操作用開口部としてもよいし、根太として円形パイプ材を使用し、その上壁部に操作用開口部としての孔を形成したものであってもよい。
【００１８】
また、上記の実施形態では、通し材６，６が根太２…の端部に接合されて根太フレーム７を形成しているが、通し材は、そのいずれか一方又は両方が根太の長さ方向の中間部に備えられて根太フレームを形成していてもよいし、これら２本の通し材のほかに他の通し材が根太にわたされて接合され根太フレームを形成していてもよい。また、根太は２本であってもよい。
【図面の簡単な説明】
【００１９】
【図１】実施形態の構造を示すもので、図（イ）は根太の設置状態を示す平面図、図（ロ）は根太フレームの設置状態の平面図である。
【図２】図（イ）は根太と通し材とを分離状態にして示す斜視図、図（ロ）は接合状態の斜視図である。
【図３】図（イ）はレベル調整用脚の機構部を示す断面正面図、図（ロ）は図（イ）のＩＩＩ−ＩＩＩ線断面矢視図である。
【図４】図（イ）及び図（ロ）は、図５（ハ）（ニ）とともに施工方法を示すもので、図１（ロ）のＩ−Ｉ線断面矢視図である。
【図５】図（ハ）及び図（ニ）は、図４（イ）（ロ）とともに施工方法を示すもので、図１（ロ）のＩ−Ｉ線断面矢視図である。
【図６】図（イ）及び図（ロ）は、図７（ハ）（ニ）とともに施工方法を示すもので、図１（ロ）のＩＩ−ＩＩ線断面矢視図である。
【図７】図（ハ）及び図（ニ）は、図６（イ）（ロ）とともに施工方法を示すもので、図１（ロ）のＩＩ−ＩＩ線断面矢視図である。
【図８】設置面の傾斜状態の一例を示す平面図である。
【符号の説明】
【００２０】
１…設置面
２…根太
３…レベル調整用脚
４…ナット（ネジ孔）
５…操作孔
６…通し材
７…根太フレーム
【図１】
2006283420.tif 000003
【図２】
2006283420.tif 000004
【図３】
2006283420.tif 000005
【図４】
2006283420.tif 000006
【図５】
2006283420.tif 000007
【図６】
2006283420.tif 000008
【図７】
2006283420.tif 000009
【図８】
2006283420.tif 000010